(57)【要約】【課題】  使用初期におけるディーゼルスモーク浄化手段の過度の再生処理を防止し、燃費の低下を抑制すること。【解決手段】  再生処理手段に使用期間判定部を設ける。使用期間判定部は、ディーゼルスモーク浄化手段の使用期間Ｄを特定する。特定されたディーゼルスモーク浄化手段の使用期間が予め設定された初期状態判定値Ｄstdを越えていない場合には、前記再生終了閾値Ｍβの値を高く設定する閾値変更部を設ける。閾値Ｍβが変更されることにより、不純物の影響により排気微粒子の捕集量検出が不正確となる使用初期のディーゼルスモーク浄化手段においても、過度の再生処理が実行されるのを回避することが可能になる。【選択図】      図６
2006097640.tif 000002
【特許請求の範囲】
【請求項１】
触媒機能を有し、かつディーゼルスモークの排気微粒子を捕集するディーゼルスモーク浄化手段と、
このディーゼルスモーク浄化手段に排気ガスを排出するエンジン本体と、
このエンジン本体の各気筒に設けられた燃料噴射装置と、
燃料噴射装置の少なくとも燃料噴射量と燃料噴射タイミングとを制御する燃料噴射制御手段と、
前記ディーゼルスモーク浄化手段に捕集された排気微粒子の捕集排気微粒子量を検出する捕集排気微粒子量検出手段と、
捕集排気微粒子量検出手段に検出された捕集排気微粒子量が予め設定された再生開始閾値以上の場合には、未燃焼の燃料を排気系統に供給するために燃料噴射装置が膨張行程から排気行程の間に燃料を噴射する後噴射を実行するとともに、再生終了閾値未満に達した場合には、前記後噴射を停止するように燃料噴射制御手段を制御する再生処理手段と
を備えているディーゼルエンジンであって、
前記再生処理手段は、
ディーゼルスモーク浄化手段の使用期間を特定する使用期間判定部と、
使用期間判定部に特定されたディーゼルスモーク浄化手段の使用期間が予め設定された初期状態判定値を越えていない場合には、前記再生終了閾値の値を高く設定する閾値変更部を有していることを特徴とするディーゼルエンジン。
【請求項２】
請求項１記載のディーゼルエンジンにおいて、
前記ディーゼルスモーク浄化手段は、エンジンから排出される排気微粒子を捕集するパティキュレートフィルタと、このパティキュレートフィルタよりも排気通路の上流側に配置された酸化触媒とを含んでいるものであることを特徴とするディーゼルエンジン。
【請求項３】
請求項２記載のディーゼルエンジンにおいて、
前記パティキュレートフィルタの交換を検出して前記再生処理手段の使用期間判定部に初期値を与える交換検出手段をさらに備えていることを特徴とするディーゼルエンジン。
【発明の詳細な説明】
【技術分野】
【０００１】
本発明はディーゼルエンジンに関し、特に、触媒機能を有し、かつディーゼルスモークの排気微粒子を捕集するディーゼルスモーク浄化手段を採用したディーゼルエンジンに関する。
【背景技術】
【０００２】
ディーゼルエンジンから排出される排気ガスは、燃焼時に生じた遊離カーボンによるディーゼルスモークを含んでいる。このディーゼルスモークの原因となるパティキュレートを捕集するため、ディーゼルエンジンの排気系統には、触媒機能を有し、かつディーゼルスモークの排気微粒子を捕集するディーゼルスモーク浄化手段が設けられている。
【０００３】
このディーゼルスモーク浄化手段を再生する方法としては、特許文献１に示すように、所定タイミングで未燃焼の燃料を排気系統に供給し、ディーゼルスモーク浄化手段の触媒機能による酸化作用で供給された燃料を燃焼し、その熱でディーゼルスモーク浄化手段を再生する構成が知られている。
【０００４】
さらに、ディーゼルスモーク浄化手段の再生時期を検出する方法としては、特許文献２に示すように、ディーゼルスモーク浄化手段の上流側と下流側との間の差圧を見ることによって推定する方法が知られている。
【特許文献１】特開平０８−０４２３２６号公報
【特許文献２】特開平１０−８９０４７号公報
【発明の開示】
【発明が解決しようとする課題】
【０００５】
しかしながら、前記ディーゼルスモーク浄化手段においては、その使用初期時に油分などの不純物を含んでいる。そのため、ディーゼルスモーク浄化手段の使用初期においては、捕集排気微粒子量の誤検出が生じやすく、ディーゼルスモーク浄化手段に対して過度に再生処理を実行することとなり、燃費が低下するという問題が生じ得ることになる。
【０００６】
本発明は上記課題に鑑みてなされたものであり、使用初期におけるディーゼルスモーク浄化手段に対する過度の再生処理を防止し、燃費の低下を抑制することのできるディーゼルエンジンを提供することを課題としている。
【課題を解決するための手段】
【０００７】
上記課題を解決するために本発明は、触媒機能を有し、かつディーゼルスモークの排気微粒子を捕集するディーゼルスモーク浄化手段と、このディーゼルスモーク浄化手段に排気ガスを排出するエンジン本体と、このエンジン本体の各気筒に設けられた燃料噴射装置と、燃料噴射装置の少なくとも燃料噴射量と燃料噴射タイミングとを制御する燃料噴射制御手段と、前記ディーゼルスモーク浄化手段に捕集された排気微粒子の捕集排気微粒子量を検出する捕集排気微粒子量検出手段と、捕集排気微粒子量検出手段に検出された捕集排気微粒子量が予め設定された再生開始閾値以上の場合には、未燃焼の燃料を排気系統に供給するために燃料噴射装置が膨張行程から排気行程の間に燃料を噴射する後噴射を実行するとともに、再生終了閾値未満に達した場合には、前記後噴射を停止するように燃料噴射制御手段を制御する再生処理手段とを備えているディーゼルエンジンであって、前記再生処理手段は、ディーゼルスモーク浄化手段の使用期間を特定する使用期間判定部と、使用期間判定部に特定されたディーゼルスモーク浄化手段の使用期間が予め設定された初期状態判定値を越えていない場合には、前記再生終了閾値の値を高く設定する閾値変更部を有していることを特徴とするディーゼルエンジンである。
【０００８】
この態様では、再生処理手段が捕集排気微粒子量検出手段に検出された捕集排気微粒子量に基づいてディーゼルスモーク浄化手段を再生するに当たり、まず、使用期間判定部がディーゼルスモーク浄化手段の使用期間を特定し、ディーゼルスモーク浄化手段の状態が初期状態か否かを判別する。そして、ディーゼルスモーク浄化手段の使用状況に応じて、閾値変更部が再生処理の開始または終了を設定する閾値を変更することができるので、不純物の影響により排気微粒子の捕集量検出が不正確となる使用初期のディーゼルスモーク浄化手段においても、過度の再生処理が実行されるのを回避し、燃費の低下を抑制することが可能になる。
【０００９】
好ましい態様において、前記ディーゼルスモーク浄化手段は、エンジンから排出される排気微粒子を捕集するパティキュレートフィルタと、このパティキュレートフィルタよりも排気通路の上流側に配置された酸化触媒とを含んでいる。この態様において、パティキュレートフィルタは、触媒がコーティングされているものが好ましい。他方、触媒がコーティングされているパティキュレートフィルタを採用した場合、酸化触媒を省略することも可能になる。
【００１０】
本発明の好ましい態様において、前記パティキュレートフィルタの交換を検出して前記再生処理手段の使用期間判定部に初期値を与える交換検出手段をさらに備えている。この態様では、パティキュレートフィルタが交換された場合にも、確実にこれを検出し、交換されたパティキュレートフィルタに対して適切な再生条件でフィルタ再生処理を実行することができる。
【発明の効果】
【００１１】
以上説明したように、本発明によれば、ディーゼルスモーク浄化手段が初期状態にあるか否かを判別して再生処理の程度を変更することが可能になるので、使用初期におけるディーゼルスモーク浄化手段の過度の再生処理を防止し、燃費の低下を抑制することができるという顕著な効果を奏する。
【発明を実施するための最良の形態】
【００１２】
以下、添付図面を参照しながら本発明の好ましい実施形態について説明する。
【００１３】
図１は、本発明の実施の一形態に係るディーゼルエンジン１０の概略構成を示す図である。
【００１４】
同図を参照して、図示のディーゼルエンジン１０は、エンジン本体２０を備えている。エンジン本体２０は、クランク軸２１を回転自在に支持するシリンダブロック２２と、シリンダブロック２２の上部に配置されたシリンダヘッド２３とを一体的に有している。シリンダブロック２２には、ウォータジャケット２２ａが設けられている。
【００１５】
シリンダブロック２２には、複数の気筒２４が設けられている。各気筒２４には、クランク軸２１に連結されたピストン２５と、ピストン２５が気筒２４内に形成する燃焼室２６とが公知の構成と同様に設けられている。なお、エンジン本体２０のシリンダブロック２２には、ウォータジャケット２２ａの水温を検出する水温センサ２７と、クランク軸２１の回転数を検出するクランク角センサ２８とが設けられている。
【００１６】
各燃焼室２６に燃料を噴射するために、エンジン本体２０には、コモンレール式燃料噴射システム３０が設けられている。コモンレール式燃料噴射システム３０は、各燃焼室２６毎に設けられ、燃料を噴射するためのインジェクタ３１と、各インジェクタ３１が接続されるコモンレール３２と、コモンレール３２に設けられた圧力レギュレータ３３と、圧力レギュレータ３３を制御するための圧力センサ３４と、コモンレール３２に接続される高圧ポンプ３５と、この高圧ポンプ３５によってコモンレール３２を介し、インジェクタ３１から噴射される燃料を蓄える燃料タンク（不図示）とを有している。このコモンレール式燃料噴射システム３０の詳細な構成は、例えば特許文献１に開示されているものと原理的には同様であるので、その詳細は省略するが、本実施形態では、このコモンレール式燃料噴射システム３０を採用することにより、各インジェクタ３１からの燃料噴射タイミングや噴射圧力を自由に設定することが可能になっている。
【００１７】
エンジン本体２０の気筒２４には、当該燃焼室２６に対して新気を供給する吸気システム４０と、気筒２４の燃焼室２６で燃焼した既燃ガスを排気する排気システム５０とが設けられている。
【００１８】
吸気システム４０の吸気経路４１には、吸気フィルタ４２と、後述するターボチャージャ７６の下流側に配置されるインタークーラ４３と、インテークマニホールド４４とが上流側からこの順番で接続されており、インテークマニホールド４４から各燃焼室２６毎に設けられた分岐吸気通路４５を経由して、外気が気筒２４内に供給されるようになっている。また、４１ａは、インタークーラ４３とインテークマニホールド４４との間に設けられたスロットル弁であり、このスロットル弁４１ａによって、吸気経路４１からインテークマニホールド４４へ供給される吸気量が制御されるようになっている。各分岐吸気通路４５には、吸気弁４６が設けられている。また、吸気経路４１には、吸気フィルタ４２の下流端に設けられた吸気量センサ４７と、インタークーラ４３とインテークマニホールド４４の間に設けられた吸気温度センサ４８および吸気圧センサ４９とが設けられている。
【００１９】
排気システム５０には、燃焼室２６と連通する分岐排気通路５１と、この分岐排気通路５１毎に設けられた排気弁５２と、排気弁５２の下流側に設けられたエキゾーストマニホールド５３と、このエキゾーストマニホールド５３の下流側に設けられたディーゼルスモーク浄化手段６０とが設けられている。
【００２０】
ディーゼルスモーク浄化手段６０は、触媒機能を有し、かつディーゼルスモークの排気微粒子を捕集するためのものであり、具体的には、酸化触媒６１とこの酸化触媒６１の下流側に配置されたパティキュレートフィルタユニット６２とによって構成されている。パティキュレートフィルタユニット６２は、触媒がコーティングされたパティキュレートフィルタ６３を有している。なお、ディーゼルスモーク浄化手段６０としては、この例に限らず、酸化触媒６１を省略したもの、或いは触媒がコーティングされていないフィルタを有するパティキュレートフィルタユニットと酸化触媒６１とを組み合わせたものであってもよい。ディーゼルスモーク浄化手段６０には、酸化触媒６１の上流側と下流側並びにパティキュレートフィルタユニット６２の下流側に配置された排気温度センサ６５、６６、６７と、パティキュレートフィルタユニット６２の上流側と下流側に配置された排気圧力センサ６８、６９と、パティキュレートフィルタユニット６２の下流側に配置された酸素濃度検出手段としての酸素濃度センサ７０とが設けられている。
【００２１】
このうち、排気温度センサ６６は、本実施形態において、排気温度を検出する排気温度検出手段を構成するものである。
【００２２】
吸気システム４０および排気システム５０の各吸気弁４６および排気弁５２は、それぞれ図略のバルブ開閉機構が後述するＥＣＵ１００の制御によって駆動されることにより、所定のタイミングで対応する分岐吸気通路４５、５１を開閉するように構成されている。
【００２３】
図示のディーゼルエンジン１０には、吸気システム４０と排気システム５０の間に、ＥＧＲシステム７５と、ターボチャージャ７６が設けられている。これらも基本的には公知の構成と同様であるので、その詳細については説明を省略する。
【００２４】
ディーゼルエンジン１０の各部を制御するために、ディーゼルエンジン１０には、ＥＣＵ１００が設けられている。
【００２５】
ＥＣＵ１００は、ＣＰＵ１０１、メモリ１０２、入出力装置１０３、並びにこれらを電気的に接続するバス１０４を有している。
【００２６】
前記メモリ１０２は、ディーゼルエンジン１０の運転制御を行うためのプログラム並びにパラメータが記憶されるＲＯＭや、データ処理の記憶領域となるＲＡＭを有している。図示の実施形態では、メモリ１０２に不揮発性メモリ１０５が設けられており、この不揮発性メモリ１０５に所定のデータやパラメータの記憶領域を設けることにより、後述するフローチャートを実現することができるようになっている。
【００２７】
前記入出力装置１０３には、エンジン本体２０の水温センサ２７およびクランク角センサ２８と、コモンレール式燃料噴射システム３０のコモンレール３２に設けられた圧力センサ３４と、吸気システム４０の吸気量センサ４７、吸気温度センサ４８、および吸気圧センサ４９と、ディーゼルスモーク浄化手段６０に設けられた排気温度センサ６５、６６、６７、排気圧力センサ６８、６９、並びに酸素濃度センサ７０とが接続されている（図２参照）。また、車両の走行距離を検出するため、トリップメータ８０に出力された信号（フィルタ寿命判定値）Ｄが入力されるように、該トリップメータ８０と接続されている。
【００２８】
図２は図１の実施形態に係るＥＣＵ１００のブロック図である。
【００２９】
同図を参照して、ＥＣＵ１００は、エンジン本体２０の運転を制御する運転制御手段１１０、燃料噴射制御を行うための燃料噴射制御手段１２０を機能的に備えている他、前記ディーゼルスモーク浄化手段６０の再生処理を行う再生処理手段１４０とを機能的に構成している。
【００３０】
運転制御手段１１０は、エンジン本体２０を作動させるために、コモンレール式燃料噴射システム３０の燃料噴射量Ｑや燃料噴射タイミング、吸気システム４０のスロットル弁４１ａの開度、吸気弁４６や排気弁５２の開閉タイミング、ＥＧＲシステム７５のバルブ開閉動作等の制御を司るものである。
【００３１】
燃料噴射制御手段１２０は、図略の運転制御手段の制御に基づき、コモンレール式燃料噴射システム３０の圧力センサ３４の検出信号を受けてコモンレール式燃料噴射システム３０のインジェクタ３１から噴射される燃料の噴射タイミングと噴射量との制御を司るものである。
【００３２】
再生処理手段１４０は、メモリ１０２のデータ領域に設定されるフィルタ再生フラグＦの値に基づき、前記運転制御手段による制御とは別個に所定のタイミングで燃料噴射制御手段１２０を駆動し、ディーゼルスモーク浄化手段６０のパティキュレートフィルタ６３を再生するための燃料噴射（この実施形態において「後噴射」という）を実行させるためのものであり、パティキュレートフィルタ６３に捕集された排気微粒子量Ｍを推定する捕集量推定部１４１と、ディーゼルスモーク浄化手段６０の使用期間を判定する使用期間判定部１４２と、前記フィルタ再生フラグＦを更新するための閾値Ｍα、Ｍβ、Ｍγを所定の条件で変更する閾値変更部１４３と、ディーゼルエンジン１０の始動期間を判定する始動期間判定部１４４と、始動期間判定部１４４の判定基準となる始動基準値Ｔstdを所定の条件で変更する始動基準値変更部１４５と、所定の場合にフィルタ再生処理を禁止する禁止部１４６とを機能的に有している。
【００３３】
まず、図３を参照しながら、捕集量推定部１４１について説明する。図３は、図２に示す再生処理手段１４０の制御に用いられる差圧と微粒子量の関係を示す特性図である。
【００３４】
図３を参照して、パティキュレートフィルタ６３に捕集された微粒子量Ｍは、当該パティキュレートフィルタ６３の上流側と下流側とのフィルタ前後差圧ΔＰと相関関係を有している。本実施形態においては、この相関関係を実験等で集積して特性Ａを導出し、マップとしてメモリ１０２に登録している。捕集量推定部１４１は、前記排気圧力センサ６８、６９の検出信号に基づいて、パティキュレートフィルタ６３の上流側と下流側とのフィルタ前後差圧ΔＰを演算し、その演算値に基づいて、予めメモリ１０２に登録されているマップからパティキュレートフィルタ６３に捕集された捕集排気微粒子量Ｍを推定するものである。
【００３５】
前記使用期間判定部１４２は、前記不揮発性メモリ１０５に予め記憶されている初期状態基準値Ｄstdとトリップメータ８０から出力された走行距離の値をフィルタ寿命判定値Ｄとして比較することにより、パティキュレートフィルタ６３の使用期間を判定するものである。前記初期状態基準値Ｄstdは、パティキュレートフィルタ６３が図３の特性Ｂ１の状態から特性Ａの状態に馴染むまでの期間を予め実験データに基づいて設定したものであり、基準値として前記メモリ１０２の不揮発性メモリ１０５に記憶されているものである。フィルタ寿命判定値Ｄもまた、前記不揮発性メモリ１０５に記憶されることにより、積算して用いられる値である。パティキュレートフィルタ６３が新規に装着された場合、すなわち、車両がグリーン状態である場合、フィルタ寿命判定値Ｄは０に設定される。また、パティキュレートフィルタ６３が交換された場合、その都度、ディーラ等が診断装置（外部制御手段）６４（図２にブロックで図示）を用いて、パティキュレートフィルタ６３のフィルタ寿命判定値Ｄを０にリセットする。これにより、ＥＣＵ１００は、使用期間判定部１４２を機能的に構成し、ディーゼルスモーク浄化手段６０の使用期間を判定することが可能になっている。
【００３６】
閾値変更部１４３は、再生処理手段１４０が再生処理を開始するための再生開始閾値Ｍαと、再生終了閾値Ｍβの値を後述するフローに基づいて変更するものである。図３を参照して、再生開始閾値Ｍαは、パティキュレートフィルタ６３を再生開始するための閾値である。再生終了閾値Ｍβは、再生処理を終了するための閾値である。ここで、本実施形態では、再生終了閾値Ｍβよりも若干高い値を初期フィルタの再生終了閾値Ｍγとしており、パティキュレートフィルタ６３が所定の初期状態であると判定された場合には、この閾値Ｍγを用いて再生処理が制御されるようになっている。図示の通り各閾値Ｍα、Ｍβ、Ｍγの大小関係は、
Ｍα＞Ｍγ＞Ｍβ
となっている。
【００３７】
図３を参照しながら、より詳細に説明すると、例えば、パティキュレートフィルタ６３が新品である場合には、当該パティキュレートフィルタ６３に付着している油分等の影響により、Ｂ１のような特性を取る場合がある。その場合にフィルタ前後差圧ΔＰのみで捕集排気微粒子量Ｍを算出した場合には、捕集された捕集排気微粒子量Ｍが比較的少ない初期段階に再生処理制御が頻発することになる。そこで、本実施形態においては、パティキュレートフィルタ６３の初期状態における特性をも考慮すべく、使用期間判定部１４２がパティキュレートフィルタ６３のフィルタ寿命判定値Ｄを判定し、ディーゼルスモーク浄化手段６０のフィルタ寿命判定値Ｄが所定の初期状態基準値Ｄstdを越えていない場合には、閾値変更部１４３がメモリ１０２に記憶されている再生終了閾値Ｍβの値をＭγに高く設定するようにしている。
【００３８】
次に、始動期間判定部１４４は、ディーゼルエンジン１０が運転を開始してカウントされるカウント値（エンジン始動後の経過時間）Ｔが予め設定された始動基準値Ｔstd以上であるか否かを判定するためのものである。ディーゼルエンジン１０の運転初期状態においては、パティキュレートフィルタ６３の触媒活性度に比べて多くの燃料が運転時に噴射されるので、未燃燃料がミスト状にパティキュレートフィルタ６３に残存し、その場合に後噴射が行われると、残存する未燃燃料と排気微粒子との燃焼が相俟ってパティキュレートフィルタ６３にて過剰な燃焼が生じるので、これを回避するためにパティキュレートフィルタ６３に残存する未燃燃料が蒸発してパティキュレートフィルタ６３から排出されるまでの期間を判定するための始動期間判定部１４４を設け、所定の場合には、禁止部１４６によって再生処理を禁止するようにしている。
【００３９】
始動基準値変更部１４５は、前記始動基準値Ｔstdを所定の条件で変更することにより、後噴射された燃料の燃焼を最適化するためのものである。
【００４０】
禁止部１４６は、所定の制御ロジックによってフィルタ再生フラグＦを０に更新することにより、フィルタ再生処理を禁止するためのものである。
【００４１】
図４は、図１の実施形態におけるフィルタ再生処理のフローを示すフローチャートである。
【００４２】
同図を参照して、エンジンの運転が開始されると、ＥＣＵ１００は、データ用のメモリ領域に、運転開始時点を０とするカウント値Ｔと、フィルタ再生フラグＦとをそれぞれ０に初期化して記憶する（ステップＳ１）。
【００４３】
次いで、本実施形態において、ＥＣＵ１００は、カウント値Ｔと比較される始動基準値Ｔstdを設定する設定制御サブルーチンを実行する（ステップＳ２）。このステップＳ２により、始動基準値Ｔstdが決定される。このサブルーチンを実行することにより、ＥＣＵ１００は、始動基準値変更部１４５を機能的に構成し、ディーゼルエンジン１０の運転状態に適した始動基準値Ｔstdを設定することが可能になっている。
【００４４】
次いで、ＥＣＵ１００の始動期間判定部１４４は、決定された始動基準値Ｔstdとカウント値Ｔとを比較し、カウント値Ｔが始動基準値Ｔstd以上になるまでは、パティキュレートフィルタの再生判断処理に移行するのを留保する（ステップＳ３）。このステップＳ３により、ＥＣＵ１００は、始動期間判定部１４４が検出したカウント値（経過時間）Ｔが予め設定された始動基準値Ｔstdを経過するまでは、再生処理手段によるフィルタ再生処理の実行を禁止する禁止部を機能的に構成し、大量に燃料が噴射されるエンジン始動時の直後において、過度の再生処理が実行されるのを回避するようにしている。
【００４５】
カウント値Ｔが始動基準値Ｔstdに達すると、パティキュレートフィルタ再生判断処理サブルーチンに遷移する（ステップＳ１０）。このサブルーチンでは、詳しくは後述するように、フィルタの再生処理をすべきか否かが判別され、再生が必要と判断された場合には、フィルタ再生フラグＦの値が１に更新される。また、所定の条件で、１に設定されたフィルタ再生フラグＦが０に設定されることにより、再生処理が捕集排気微粒子量Ｍに拘わらず禁止される。
【００４６】
ステップＳ１０のサブルーチンが終了すると、フィルタ再生フラグＦが参照され（ステップＳ１１）、フィルタ再生フラグＦが１に更新された場合には、後噴射が実行され（ステップＳ２０）、ステップＳ１０に遷移する。この後噴射は、ＥＣＵ１００がエンジン本体２０を作動させる燃料噴射をコモンレール式燃料噴射システム３０に実行させた後、改めてコモンレール式燃料噴射システム３０を駆動し、膨張行程から排気行程の間にインジェクタ３１から燃料を噴射することにより実行される。
【００４７】
他方、フィルタ再生フラグＦが０の場合には、後噴射を実行せずに、ステップＳ１０に遷移する。これら各ステップＳ１〜Ｓ２０を実行することにより、ＥＣＵ１００は、再生処理手段１４０または再生処理手段１４０の禁止部１４６を機能的に構成し、適切なタイミングで後噴射を実行し、ディーゼルスモーク浄化手段６０の再生処理を行うことが可能になる。
【００４８】
図５は、図４のフローチャートにおける始動基準値Ｔstdを設定する設定制御サブルーチンの制御フローを示すフローチャートである。
【００４９】
同図を参照して、始動基準値Ｔstdの設定制御に移行すると、まず、ＥＣＵ１００は、排気温度センサ６６の出力に基づいて排気温度Ｔｐを検出するとともに（ステップＳ２１）、エンジン本体２０を作動させるために噴射した燃料噴射量Ｑを参照する（ステップＳ２２）。
【００５０】
次いで、メモリ１０２に記録されている設定マップに基づき、燃料噴射量Ｑが多いほど、始動基準値Ｔstdを長く設定する（ステップＳ２３）。これにより、燃料噴射量Ｑが比較的多いエンジンの始動初期においては、再生処理が禁止されるとともに、そのエンジンの始動初期を判定する始動基準値Ｔstdが、燃料噴射量Ｑに比例して長く設定されるので、より確実に後噴射によるパティキュレートフィルタ６３の過剰燃焼を防止し、燃費の低下を抑制することが可能になる。
【００５１】
さらに、このステップＳ２３においては、ステップＳ２１で検出された排気温度Ｔｐが関連づけられており、排気温度Ｔｐが低いほど、換言すれば、ディーゼルスモーク浄化手段６０に残存する未燃燃料が蒸発しにくいほど、始動基準値Ｔstdが長くなるように補正される。これにより、触媒反応が生じにくい低温時においても、再生処理が禁止されるので、未燃燃料がディーゼルスモーク浄化手段６０に残留し、過剰燃焼の原因となることを防止することが可能になる。
【００５２】
次に、図６を参照して、ステップＳ１０のパティキュレートフィルタ再生判断処理サブルーチンについて説明する。図６は、図４のメインフローにおけるパティキュレートフィルタ再生判断処理サブルーチンのフローチャートである。
【００５３】
同図を参照して、ステップＳ１０のパティキュレートフィルタ再生判断処理サブルーチンが実行されると、ＥＣＵ１００は、前記排気圧力センサ６８、６９の検出信号に基づいて、パティキュレートフィルタ６３の上流側と下流側とのフィルタ前後差圧ΔＰを演算する（ステップＳ１０２）。次いで、その演算値に基づいて、予めメモリ１０２に登録されている図３に基づいたマップからパティキュレートフィルタ６３に捕集された捕集排気微粒子量Ｍを推定する（ステップＳ１０３）。これらのステップＳ１０２、Ｓ１０３により、ＥＣＵ１００は、機能的に捕集量推定部１４１を構成し、パティキュレートフィルタ６３に捕集された捕集排気微粒子量Ｍを特定することが可能になる。
【００５４】
次に、ＥＣＵ１００は、パティキュレートフィルタ６３が初期状態であるか否かを判別するために、トリップメータ８０から出力された走行距離の値をフィルタ寿命判定値Ｄとして、前記不揮発性メモリ１０５に予め記憶されている初期状態基準値Ｄstdと比較する（ステップＳ１０４）。
【００５５】
仮にフィルタ寿命判定値Ｄが初期状態基準値Ｄstd以下である場合、ＥＣＵ１００は、パティキュレートフィルタ６３が初期状態であると判定し、再生終了閾値Ｍβを該値よりも若干高い初期フィルタの再生終了閾値Ｍγに更新する（ステップＳ１０５）。これらの処理により、ＥＣＵ１００は、使用期間判定部１４２、閾値変更部１４３を機能的に構成し、パティキュレートフィルタ６３の使用状態に合わせた再生処理判定を実行できることとになる。
【００５６】
次に、ＥＣＵ１００は、図３の特性図に基づくマップに対応して、ステップＳ１０３で算出された捕集排気微粒子量Ｍが再生開始閾値Ｍα以上であるか否かを判別する（ステップＳ１０６）。仮に捕集排気微粒子量Ｍが再生開始閾値Ｍα以上である場合には、ＥＣＵ１００は、メモリ領域に記憶されているフィルタ再生フラグＦを１に更新し（ステップＳ１０７）、メインルーチンに復帰する。
【００５７】
他方、再生開始閾値Ｍαに満たない場合、さらに、捕集排気微粒子量Ｍは、再生終了閾値Ｍβと比較される（ステップＳ１０８）。このステップＳ１０８において、仮に捕集排気微粒子量Ｍが再生終了閾値Ｍβ以上である場合、ＥＣＵ１００は、フィルタ再生フラグＦを更新せずにメインルーチンに戻る。このため、パティキュレートフィルタ再生判断処理サブルーチンが繰り返されることにより、フィルタ再生フラグＦが１のときは、再生処理が繰り返され、フィルタ再生フラグＦが０のときは、再生処理が開始されないことになる。この結果、再生処理が開始されない間は、排気微粒子量Ｍが再生開始閾値Ｍαに達するまで、再生処理は実行されない。他方、一度再生処理が開始された後は、捕集排気微粒子量Ｍが再生終了閾値Ｍβ以下になるまで、再生処理が続行されることになる。
【００５８】
また、ステップＳ１０８において、仮に捕集排気微粒子量Ｍが再生終了閾値Ｍβ未満である場合、ＥＣＵ１００は、フィルタ再生フラグＦを０に更新して（ステップＳ１０９）メインルーチンに戻る。
【００５９】
ここで、本実施形態においては、ステップＳ１０４で、パティキュレートフィルタ６３の寿命が判別され、仮にパティキュレートフィルタ６３が初期の状態である場合には、前記再生終了閾値Ｍβが図３で示す初期フィルタの再生終了閾値Ｍγに変更される（ステップＳ１０５）ので、再生処理が実行される期間または程度が実質的に低下し、パティキュレートフィルタ６３に過度の再生処理を施すことを回避することが可能になる。
【００６０】
以上説明したように、本実施形態によれば、再生処理手段１４０が、捕集排気微粒子量検出手段としての排気圧力センサ６８、６９、捕集量推定部１４１に検出された捕集排気微粒子量Ｍに基づいてディーゼルスモーク浄化手段６０を再生するに当たり、まず、使用期間判定部１４２がディーゼルスモーク浄化手段６０のパティキュレートフィルタ６３のフィルタ寿命判定値Ｄを特定し、ディーゼルスモーク浄化手段６０の状態が初期状態か否かを判別する。そして、ディーゼルスモーク浄化手段６０の使用状況に応じて、閾値変更部１４３が再生処理の開始または終了を設定する閾値Ｍαを変更することができるので、不純物の影響により排気微粒子の捕集量検出が不正確となる使用初期のディーゼルスモーク浄化手段６０においても、過度の再生処理が実行されるのを回避することが可能になる。
【００６１】
また、本実施形態においては、エンジン本体始動後の経過時間がカウント値Ｔとして始動期間判定部１４４によって判定され、前記禁止部１４６は、前記カウント値（経過時間）Ｔが予め設定された始動初期期間としての基準値Ｔstdを経過するまでは、再生処理手段１４０によるフィルタ再生処理の実行を禁止するので、大量に燃料が噴射されるエンジン始動時の直後において、過度の再生処理が実行されるのを回避することが可能になる。
【００６２】
また、本実施形態では、前記パティキュレートフィルタ６３の交換を検出して前記再生処理手段１４０の使用期間判定部１４２に初期値を与える交換検出手段（診断装置６４、使用期間判定部１４２）をさらに備えている。従って、パティキュレートフィルタ６３が交換された場合にも、確実にこれを検出し、交換されたパティキュレートフィルタ６３に対して適切な再生条件でフィルタ再生処理を実行することができる。
【００６３】
また、本実施形態において、前記再生処理手段１４０は、エンジン運転のために噴射された燃料の噴射量が多いほど前記始動基準値Ｔstdを変更する始動基準値変更部１４５を有しているので、エンジンを運転するための燃料の噴射量をパラメータとして、前記始動基準値Ｔstdを長く変更することができ、燃料噴射量に基づく制御を行うことが可能になる。
【００６４】
さらに本実施形態においては、エンジンの排気温度を検出する排気温度検出手段としての排気温度センサ６６をさらに備え、前記再生処理手段１４０の始動基準値変更部１４５は、排気温度検出手段が検出した排気温度が低いほど前記始動基準値Ｔstdを長く変更するので、排気温度をパラメータとして、前記始動基準値Ｔstdを変更することができ、燃料噴射量に基づく制御を行うことが可能になる。
【００６５】
以上説明したように、本実施形態によれば、ディーゼルスモーク浄化手段６０が初期状態にあるか否かを判別して再生処理の程度を変更することが可能になるので、使用初期におけるディーゼルスモーク浄化手段６０の過昇温を防止し、併せて燃費の低下を抑制することができるという顕著な効果を奏する。
【００６６】
また、予め設定された始動基準値Ｔstdが経過するまでは、再生処理手段１４０によるフィルタ再生処理の実行が禁止されるので、大量に燃料が噴射されるエンジン始動時の直後において、過度の再生処理が実行されるのを回避することが可能になり、エンジン始動初期におけるディーゼルスモーク浄化手段の過昇温を防止することができるという顕著な効果を奏する。
【００６７】
上述した実施形態は本発明の好ましい具体例に過ぎず、本発明は上述した実施形態に限定されない。
【００６８】
なお、上述した各実施形態を具体化するに当たり、不揮発性メモリに再生回数をカウントするための記憶領域を設けて、パティキュレートフィルタ６３が初期状態と判定される間は、再生回数を積算するとともに、再生回数の増加に伴って、再生終了閾値Ｍβを下げる（例えば、１回目の再生終了を４ｇ／ｌ、２回目の再生終了を３．５ｇ／ｌ・・・）としてもよい。その場合には、再生の実行に伴って、パティキュレートフィルタ６３が特性Ａに馴染んでくるので、過度の再生処理を回避することが可能になる。
【００６９】
その他本発明の特許請求の範囲内で種々の変更が可能であることはいうまでもない。
【図面の簡単な説明】
【００７０】
【図１】本発明の実施の一形態に係るディーゼルエンジンの概略構成を示す図である。
【図２】図１の実施形態に係るＥＣＵのブロック図である。
【図３】図２に示す再生処理手段の制御に用いられる差圧と微粒子量の関係を示す特性図である。
【図４】図１の実施形態におけるフィルタ再生処理のフローを示すフローチャートである。
【図５】図４のフローチャートにおける始動初期時間を設定する設定制御サブルーチンの制御フローを示すフローチャートである。
【図６】図４のメインフローにおけるパティキュレートフィルタ再生判断処理サブルーチンのフローチャートである。
【符号の説明】
【００７１】
１０  ディーゼルエンジン
２０  エンジン本体
２４  気筒
６０  ディーゼルスモーク浄化手段
６１  酸化触媒
６２  パティキュレートフィルタユニット
６３  パティキュレートフィルタ
６４  フィルタ有無センサ（フィルタ交換検出手段の一例）
６６  排気温度センサ（排気温度検出手段の一例）
６８  排気圧力センサ（捕集量検出手段の一例）
６９  排気圧力センサ（捕集量検出手段の一例）
８０  トリップメータ
１００      ＥＣＵ
１１０      運転制御手段
１２０      燃料噴射制御手段
１４０      再生処理手段
１４１      捕集量推定部
１４２      使用期間判定部
１４３      閾値変更部
１４４      始動期間判定部
１４５      始動基準値変更部
１４６      禁止部
Ａ    特性
Ｄ    フィルタ寿命判定値
Ｄstd 初期状態判定値
Ｆ    フィルタ再生フラグ
Ｍ    捕集排気微粒子量
Ｍα  再生開始閾値
Ｍβ  再生終了閾値
Ｍγ  初期フィルタにおける再生終了閾値
Ｑ    燃料噴射量
Ｔ    カウント値（エンジン始動後の経過時間）
Ｔｐ  排気温度
Ｔstd 始動基準値
ΔＰ  フィルタ前後差圧
κ    値
【図１】
2006097640.tif 000003
【図２】
2006097640.tif 000004
【図３】
2006097640.tif 000005
【図４】
2006097640.tif 000006
【図５】
2006097640.tif 000007
【図６】
2006097640.tif 000008